(57)【要約】【課題】ネットワーク可能な移動装置のバッテリ寿命を延長するシステム及び方法を提供する。【解決手段】ワイヤレスネットワーク環境で動作する移動装置のバッテリ寿命は、指定の期間の後にネットワーク通信アクティビティを終了させることにより延長される。ネットワーク通信アクティビティは、指定数のユーザアクションのいずれか１つが検出されたときに回復される。【選択図】図１Ａ
2011511516.tif 000002
【特許請求の範囲】
【請求項１】
ネットワーク可能な移動装置のバッテリ電力を保存する方法において、
利用可能なネットワークとの通信関連性を確立するステップと、
指定のアプリケーションイベントに応答してタイマーを始動するステップと、
タイマーが時間切れする前に移動装置においてネットワーク可能なアプリケーションがアクチベートされた場合にタイマーをデアクチベートするステップと、
移動装置においてネットワーク可能なアプリケーションがアクチベートされる前にタイマーが時間切れした場合に利用可能なネットワークとの通信関連性を終了させるステップと、
を備えた方法。
【請求項２】
利用可能なネットワークとの通信関連性を確立する前記ステップは、Ｗｉ−Ｆｉネットワークとの通信関連性を確立することを含む、請求項１に記載の方法。
【請求項３】
指定のアプリケーションイベントに応答してタイマーを始動する前記ステップは、設計された機能へのネットワークアクセスを必要としないアプリケーションのアクチベーションに応答してタイマーを始動することを含む、請求項１に記載の方法。
【請求項４】
指定のアプリケーションイベントに応答してタイマーを始動する前記ステップは、移動装置で実行される最後のネットワークアプリケーションのデアクチベーションに応答してタイマーを始動することを含む、請求項１に記載の方法。
【請求項５】
タイマーを始動する前記ステップは、所定のインターバルの後に時間切れとなるようタイマーを始動することを含む、請求項１に記載の方法。
【請求項６】
タイマーを始動する前記ステップは、ユーザが選択できる時間インターバルの後に時間切れとなるようタイマーを始動することを含む、請求項１に記載の方法。
【請求項７】
タイマーを始動する前記ステップは、移動装置におけるネットワーク可能なアプリケーションの使用に基づく時間インターバルの後に時間切れとなるようタイマーを始動することを含む、請求項１に記載の方法。
【請求項８】
移動装置とワイヤレスネットワークアクセス装置との間で無線信号を送信及び受信する回路と、
前記高周波回路に作動的に結合されたプロセッサと、
前記プロセッサに作動的に結合されたタイマーと、
前記プロセッサに作動的に結合され、移動装置が請求項１に記載の方法を遂行するようにさせるために前記プロセッサにより実行できるインストラクションを保持するためのメモリと、
を備えたワイヤレスのネットワーク可能な移動装置。
【請求項９】
ワイヤレスのネットワーク可能な装置のためのバッテリ保存方法において、
利用可能なネットワークとの通信関連性を確立するステップと、
指定のネットワークイベントに応答してタイマーを始動するステップと、
タイマーが時間切れする前に移動装置においてフォアグランドのネットワーク可能なアプリケーションがアクチベートされた場合にタイマーをデアクチベートするステップと、
移動装置で実行されるバックグランドアプリケーションが前記確立された通信関連性を使用できるようにタイマーを休止し、そして実質的にその直後に、タイマーを再開させるステップと、
移動装置においてフォアグランドのネットワーク可能なアプリケーションがアクチベートされる前にタイマーが時間切れした場合に利用可能なネットワークとの通信関連性を終了させるステップと、
を備えた方法。
【請求項１０】
利用可能なネットワークとの通信関連性を確立する前記ステップは、Ｗｉ−Ｆｉネットワークとの通信関連性を確立することを含む、請求項９に記載の方法。
【請求項１１】
指定のアプリケーションイベントに応答してタイマーを始動する前記ステップは、設計された機能へのネットワークアクセスを必要としないアプリケーションのアクチベーションに応答してタイマーを始動することを含む、請求項９に記載の方法。
【請求項１２】
指定のアプリケーションイベントに応答してタイマーを始動する前記ステップは、移動装置で実行される最後のネットワークアプリケーションのデアクチベーションに応答してタイマーを始動することを含む、請求項９に記載の方法。
【請求項１３】
タイマーを始動する前記ステップは、所定のインターバルの後に時間切れとなるようタイマーを始動することを含む、請求項９に記載の方法。
【請求項１４】
タイマーを始動する前記ステップは、ユーザが選択できる時間インターバルの後に時間切れとなるようタイマーを始動することを含む、請求項９に記載の方法。
【請求項１５】
タイマーを始動する前記ステップは、移動装置におけるネットワーク可能なアプリケーションの使用に基づく時間インターバルの後に時間切れとなるようタイマーを始動することを含む、請求項９に記載の方法。
【請求項１６】
タイマーをデアクチベートする前記ステップは、タイマーがアクチベートされる間に、移動装置で実行される所定数を越えるバックグランドアプリケーションが前記確立された通信関連性を使用する場合にタイマーをデアクチベートすることを含む、請求項９に記載の方法。
【請求項１７】
移動装置で実行されるバックグランドアプリケーションに応答して終了するステップの後に、利用可能なネットワークとの一時的な通信関連性を確立するステップと、
バックグランドアプリケーションが前記一時的な通信関連性を使用するのを許すステップと、
バックグランドアプリケーションが前記一時的な通信関連性の使用を完了した実質的に直後に前記一時的な通信関連性を終了させるステップと、
を更に備え、前記一時的な通信関連性を確立するステップは、タイマーを再スタートせずに遂行される、請求項９に記載の方法。
【請求項１８】
移動装置とワイヤレスネットワークアクセス装置との間で無線信号を送信及び受信する回路と、
前記高周波回路に作動的に結合されたプロセッサと、
前記プロセッサに作動的に結合されたタイマーと、
前記プロセッサに作動的に結合され、移動装置が請求項８に記載の方法を遂行するようにさせるために前記プロセッサにより実行できるインストラクションを保持するためのメモリと、
を備えたワイヤレスのネットワーク可能な移動装置。
【請求項１９】
プログラム可能な制御装置により読み取りできるプログラム記憶装置であって、そのプログラム可能な制御装置が請求項１に記載の方法を遂行するようにさせるためのインストラクションが記憶されたプログラム記憶装置。
【請求項２０】
プログラム可能な制御装置により読み取りできるプログラム記憶装置であって、そのプログラム可能な制御装置が請求項８に記載の方法を遂行するようにさせるためのインストラクションが記憶されたプログラム記憶装置。
【発明の詳細な説明】
【技術分野】
【０００１】
本発明は、一般的に、移動ワイヤレス装置に係り、より詳細には、ネットワーク可能な移動装置のバッテリ寿命を延長するシステム及び方法に係る。ここで使用する「ネットワーク」という語は、８０２．３（ワイヤードイーサネット）規格をワイヤレスドメインへと拡張するワイヤレスローカルエリアネットワークのための一連のＩＥＥＥ規格の１つを使用するように構成されたネットワークを指す。
【背景技術】
【０００２】
インターネット及びローカルイントラネットを経て通信するための手段としてワイヤレス移動装置を使用することが普遍的となってきている。このような装置の人気が高まっている理由の一部分は、接続するワイヤレスアクセスポイントがある限り、いつどこで選択しても、使用できるからである。ユーザによる明白な又は意図した「使用」がなくても、ワイヤレスネットワークに接続された移動装置は、そのローカルアクセスポイントと周期的に通信する。この通信は、高電力無線信号の周期的な送信を必要とし、ひいては、移動装置のバッテリに著しいエネルギー消耗を課する。このようなバックグランドアクティビティがバッテリ寿命の短縮を招く。
【発明の概要】
【発明が解決しようとする課題】
【０００３】
以上に鑑み、バッテリ消耗現象に対処すると同時に、移動装置を使用するユーザの経験から著しく価値を減じることのない効果的なシステム及び方法を提供することが要望される。
【課題を解決するための手段】
【０００４】
本発明によれば、ネットワーク可能な(network-capable)ワイヤレス移動装置のバッテリ寿命は、ネットワークとの装置通信リンク（関連性(association)）を選択的に終了させ、そして必要に応じてリンクを再確立することにより、延長される。一実施形態では、装置の通信リンクは、ネットワーク通信リンクを必要とし又は使用するアプリケーションを招くユーザアクションが指定インターバル中に生じなかった後に、終了となる。ネットワークアクセスを生じさせる例示的アプリケーションは、インターネットエクスプローラ、サファリ、ファイアフォックス、及びネットスケープのようなインターネットブラウザアプリケーション；アップル社のｉＣｈａｔ、ＡＯＬインスタントメッセンジャー、ヤフーメッセンジャー又はＩＣＱ状のプログラムのようなメッセージングアプリケーション；マイクロソフトアウトルック、アップル社のメール、或いは他のメール又はメッセージングプログラムのような通信アプリケーション；ＧＵＩウィジットを使用してネットワークソース情報をユーザに与えるアップル社のダッシュボード又は他のアプリケーションのようなバーチャル情報モニタアプリケーション；ノートン又はマカフィーにより提供されるようなウィルス防止ソフトウェア；スパム防止ソフトウェア；オンラインソースからの定義を要求するスパイウェア検出ソフトウェア又は他のシステムヘルスソフトウェアを含むが、これらに限定されない。（典型的にネットワークアクセスを生じない例示的アプリケーションは、アドレス帳又は連絡先アプリケーション、計算器アプリケーション、非ネットワークオーディオ再生アプリケーション、製図アプリケーション、写真アプリケーション、ワードプロセス／テキスト編集アプリケーション、並びに非ネットワークカレンダーアプリケーションを含むが、これらに限定されない。）指定インターバルは、プリセット固定インターバル、ユーザ指定インターバル、装置のネットワーク（又はアプリケーション）使用パターンに基づくインターバル、又はこれら解決策の組合せでよい。
【０００５】
別の実施形態では、指定インターバルは、装置が確立した通信リンクをバックグランドプロセスで利用する間に指定インターバルを考慮するために使用されるタイマーを一時的に休止することにより延長することができる。この解決策では、装置の通信リンクをバックグランドプロセスで使用することは、装置の通信リンクを選択的に終了するのに使用されるメカニズムにとって透過的なものとすることができる。
【図面の簡単な説明】
【０００６】
【図１Ａ】本発明の一実施形態による動作方法のフローチャートである。
【図１Ｂ】本発明の一実施形態による動作方法のフローチャートである。
【図２Ａ】本発明の別の実施形態による動作方法のフローチャートである。
【図２Ｂ】本発明の別の実施形態による動作方法のフローチャートである。
【図２Ｃ】本発明の別の実施形態による動作方法のフローチャートである。
【図３】本発明の一実施形態による移動ワイヤレス装置のブロック図である。
【発明を実施するための形態】
【０００７】
以下の説明は、特許請求の範囲に述べた発明を当業者が利用できるようにし、又、特定の実施例について表現され、当業者であれば、その変形例も明らかであろう。従って、特許請求の範囲は、ここに開示する実施形態によって限定されるものではなく、ここに開示する原理及び特徴と一貫した最も広い範囲に基づくものとする。
【０００８】
ワイヤレスネットワーク能力を含むここに例示する移動電話の開発中に、種々の環境において多数の動作テストが行われた。少なくとも１つのそのようなテストにおいて、第１の電話のバッテリ寿命は、実質的に同様の環境（即ち、装置がワイヤレスネットワークアクセスポイントに実質上連続的にアクセスする環境）における実質的に同様の電話のバッテリ寿命より実質的に長いことが分かった。
【０００９】
バッテリ寿命の相違、ひいては、ユーザに対する移動装置の有用性の相違、の理由は、容易に明らかではない。多数の付加的なテスト及び更なる評価の後に、短いバッテリ寿命を示す電話は、そのローカルアクセスポイントとの関連性を、より頻繁に、且つ長いバッテリ寿命を示す電話がそのローカルアクセスポイントとでなす以上に長い期間中、維持したと決定された。又、付加的な分析により、ローカルアクセスポイントとの装置接続（即ち「関連性」）を維持するのに必要な電力は、高価であることが明らかとなった。というのは、このような関連性は、装置が、ユーザによるネットワーク通信に明確に使用されないとき、高電力の無線信号（例えば、「ビーコン」又は「I’m still here(私はまだここにいる)」信号）を周期的に送信することを要求するからである。更に、ネットワーク関連性を維持するのに比して、ネットワーク関連性を確立するのに必要な電力は、低いものであることが分かった。
【００１０】
これらの動作特性の確認において、本発明によるシステム及び方法は、明白なネットワーク使用が差し迫っていることを指示するユーザによるアクションが指定期間中生じなかった後にネットワーク可能な移動装置をそのワイヤレスアクセスポイントから分離する。装置のローカルアクセスポイントとの関連性は、ネットワーク通信が必要になったときに自動的に再確立される。本発明の多数の実施形態は、ネットワークの差し迫った使用を信号するユーザアクションに依存するが、幾つかの実施形態では、システムの他のソフトウェアからのこれら信号が解釈されてもよいし、又、必ずしも差し迫っていないネットワーク使用を信号する指示が解釈されてもよい。
【００１１】
図１を参照すれば、本発明の一実施形態による動作方法１００が示されている。図１Ａに示すように、装置のパワーアップ時に（ブロック１０５）、装置は、そのワイヤレスネットワーク能力がアクチベートされたかどうか決定する（ブロック１１０）。ここに例示するワイヤレスネットワークは、ＩＥＥＥ８０２．１１の一連の規格により定義されたものを含むが、それに限定されない。装置のワイヤレスネットワーク能力がアクチベートされない場合には（ブロック１１０の「ノー」分岐）、本発明による更なる処理が停止される（ブロック１１５）。装置のワイヤレスネットワーク能力がアクチベートされた場合には（ブロック１１０の「イエス」分岐）、少なくとも１つのワイヤレスネットワークが利用できるかどうか決定するための更なるチェックが行われる（ブロック１２０）。利用できるワイヤレスネットワークがない場合には（ブロック１２０の「ノー」分岐）、更なる処理が停止される（ブロック１１５）。少なくとも１つのワイヤレスネットワークが利用できる場合には（ブロック１２０の「イエス」分岐）、装置は、そのネットワークに関連付けられる（ブロック１２５）。ここで使用する「関連付け(associate)」とは、ネットワークとの通信リンクを確立することを意味する。当業者であれば、ブロック１２０による「利用可能な」ネットワークは、アクセスするためのパスワード又はキーを必要とすることが明らかであろう。このようなキーがないと、アクセスが拒絶され、このようなケースでは、オペレーション１００による処理が停止される（ブロック１１５）。
【００１２】
ブロック１２５によるネットワーク関連付けの後に、ユーザが非ネットワークアプリケーションへナビゲートし、それを選択し、又はそれをアクチベートしたときに（ブロック１３０）、分離タイマーがスタートされる（ブロック１３５）。ここで使用する「非ネットワークアプリケーション」という語は、適切に機能するためにネットワークへアクセスする必要のないアプリケーションを指す。別の実施形態では、ブロック１３０により非ネットワークアプリケーションをアクチベートするときに分離タイマーを始動するのに加えて（又はそれに代わって）、最後のアクティブなネットワークアプリケーションがデアクチベートされたときにタイマーをアクチベートすることもできる。全体的に、これら解決策、及び同じ機能を与える他の解決策は、ネットワーク可能な移動装置において実行されるアプリケーションのアクチベーション又はデアクチベーションに依存し又はそれによりトリガーされるので、「アプリケーションイベント」と称することもできる。ここに例示する非ネットワークアプリケーションは、アドレス帳又は連絡先アプリケーション、計算器アプリケーション、非ネットワークオーディオ再生アプリケーション、製図アプリケーション、写真アプリケーション、ワードプロセス／テキスト編集アプリケーション、並びに非ネットワークカレンダーアプリケーションを含むが、これらに限定されない。ブロック１３５により分離タイマーがスタートされると、動作方法１００は、待機となる（ブロック１４０）。分離タイマーがファイアーせず、或いはユーザがネットワークアプリケーションを選択又はアクチベートしない限り（ブロック１４５の「ノー」岐路）、オペレーション１００は、待機し続ける（ブロック１４０）。分離タイマーがファイアーするか又はユーザがネットワークアプリケーションを選択／アクチベートする場合には（ブロック１４５の「イエス」岐路）、これらアクションのどちらが生じたか決定するための更なるチェックが行われる（ブロック１５０）。分離タイマーがファイアーした場合には（ブロック１５０の「イエス」岐路）、オペレーション１００は、図１Ｂのブロック１５５へ続く。ユーザがネットワークアプリケーションを選択／アクチベートした場合には（ブロック１５０の「ノー」岐路）、オペレーション１００は、図１Ｂのブロック１６０へ続く。
【００１３】
図１Ｂを参照すれば、ブロック１５０の「イエス」岐路に従って、分離タイマーがファイアーしたときに、装置は、ネットワークから分離し（ブロック１５５）、そしてユーザがネットワークアプリケーションへナビゲートし、それを選択し又はそれをアクチベートする（ブロック１７０）まで待機となる（ブロック１６５）。ここで使用する「分離」という語は、ネットワークとの通信リンクを終了させることを意味する。ブロック１７０に従ってネットワークの使用が指示されると、装置は、ネットワークと再関連付けし（ブロック１７５）、そしてユーザが非ネットワークアプリケーションをもう一度選択／アクチベートするまで待機となり（ブロック１８０）、その後、オペレーション１００は、ブロック１３０へ続く。一方、ユーザが、ブロック１５０の「ノー」岐路に従って、ネットワークアプリケーションへナビゲートし、それを選択し又はそれをアクチベートした場合には、装置は、分離タイマーを解除し（ブロック１６０）、そしてユーザが非ネットワークアプリケーションをもう一度選択／アクチベートするまで待機となり（ブロック１８０）、その後、オペレーション１００は、ブロック１３０へ続く。
【００１４】
図２を参照すれば、本発明の別の実施形態による動作方法２００が示されている。この実施形態では、ワイヤレス移動装置は、通常のオペレーションの一部分として、ネットワークへのアクセスを必要とするアプリケーションを含む。この形式の１つの例示的アプリケーションは、１５分、３０分又は６０分（或いは任意の特定のインターバル）ごとに、メールについて自動的に質問するようにセットされたメールアプリケーションである。図２Ａに示すように、動作方法２００は、ブロック１３５までは、動作方法１００と同じである（前記説明を参照）。この形式の実施形態では、ネットワークへのバックグランドアクセスを必要とするアプリケーション（以下、「バックグランド」プロセスと称する）を考慮するために、付加的なチェックを行わねばならない。ブロック１３５に基づくタイマーアクチベーションに続いて、オペレーション２００は、ユーザがネットワークアプリケーションへナビゲートし、それを選択し又はアクチベートするか（ブロック２１０の「イエス」岐路）、分離タイマーがファイアーするか（ブロック２１５の「イエス」岐路）、又はバックグランドプロセスがネットワークアクセスを必要とする（ブロック２２０の「イエス」岐路）まで、待機となる（ブロック２０５）。図示されたように、ユーザがネットワークアプリケーションへナビゲートし、それを選択し又はアクチベートする場合には、オペレーション２００は、図１Ｂのブロック１６０へ続き、分離タイマーがファイアーする場合には、オペレーション２００は、図２Ｂのブロック２２５へ続き、そしてバックグランドプロセスがネットワークアクセスを必要とする場合には、オペレーション２００は、図２Ｃのブロック２３０へ続く。
【００１５】
図２Ｂを参照すれば、ブロック２１５の「イエス」岐路に従って分解タイマーがファイアーしたときに、オペレーション２００は、ブロック２２５へ続き、これは、図示されたように、図１Ｂのブロック１６０−１８０で指定された挙動と実質的に同様である。更に、ブロック１６５の「待機」周期中に、バックグランドプロセスがアクチベートし、ネットワークアクセスを必要とする場合には（ブロック２３５）、装置は、ネットワークに関連付けられ（ブロック２４０）、バックグランドプロセスは、それが必要とするネットワークオペレーションを遂行し（ブロック２４５）、その後、装置は、ネットワークから分離する（ブロック１６０）。
【００１６】
図２Ｃを参照すれば、ブロック２２０の「イエス」岐路に従って分離タイマーがアクティブである（即ち、スタートしたが、ファイアーしていない）間にバックグランドプロセスがネットワークへのアクセスを必要とするときに、装置は、分離タイマーを休止し（ブロック２３０）、バックグランドプロセスは、それが必要とするネットワークオペレーションを遂行し（ブロック２５０）、そして装置が分離タイマーを再開させ（ブロック２５５）、その後、オペレーション２００は、図２Ａにブロック２０５へ続く。
【００１７】
図３を参照すれば、本発明により動作するように適応された装置３００は、高周波（ＲＦ）送信及び受信回路３０５と、アンテナ３１０（装置３００のユーザに見えても見えなくてもよい）と、ユーザディスプレイ要素３１５と、プロセッサ３２０と、メモリ３２５と、分離タイマー３３０とを備えている。プロセッサ３０５は、単一のコンピュータプロセッサ、特殊目的のプロセッサ（例えば、デジタル信号プロセッサ）、通信リンクにより結合された複数のプロセッサ、或いはこれに限定されないが特定用途向け集積回路又はフィールドプログラマブルゲートアレイを含む集積回路のようなハードウェア装置において実施されるカスタム設計の状態マシンである。メモリ３２５は、不揮発性メモリ（ユーザの好み情報や、これに限定されないが、本発明により電力管理オペレーションを実施するためのプログラムモジュールを含む装置動作プログラムを保持するための）、及び揮発性メモリ（これに限定されないが、表示情報を含むランタイムデータを保持するための）を含む。即ち、図１及び２によるアクションは、メモリ３２５に記憶又は保持された１つ以上のプログラムモジュールへと編成されたインストラクションを実行するプロセッサ３０５によって遂行される。分離タイマー３３０は、プロセッサ３０５及びメモリ３２５とは個別のハードウェアタイマー、プロセッサ３０５内に組み込まれるハードウェアタイマー、或いはソフトウェアタイマー（即ち、プロセッサ３０５又はメモリ３２５に関連付けられるか又は組み込まれる記憶部）である。
【００１８】
上述した実施形態では、分離タイマー３３０は、特定インターバルについて言及せずに固定の時間インターバルに関して説明した。選択される特定インターバルは、移動ワイヤレス装置の環境及び意図された使用に依存する。例えば、長期間未使用で、短期間使用に意図された装置は、非常に短い（例えば、５−１０分）分離タイマーインターバルを使用することができる。対照的に、使用と使用との間の時間が比較的短く、多数回使用するように設計された装置は、長い分離タイマーインターバル（例えば、３０−４５分）を使用することができる。
【００１９】
一実施形態では、選択される分離インターバルは、ユーザが選択可能である。例えば、初期分離インターバルは、デフォールトとしてセットできるが、ユーザは、ユーザの好みのアプリケーションを通して異なるインターバル（例えば、「短」、「長」、「１０分」、「３０分」、「１時間」）を指定することができる。別の実施形態では、分離インターバルは、実際のネットワーク使用に基づいて動的にセットすることができる。この形式の幾つかの実施形態では、実際のネットワーク使用を追跡して、装置が受ける正確な使用パターンに対してバッテリ使用を最適化するインターバルを選択し又は計算することができる。この形式の他の実施形態では、ネットワーク可能なアプリケーションの使用を追跡して、それらアプリケーションのアクチベーション又は使用間の時間を表す適当な分離インターバルを選択することができる。更に別の実施形態では、これら解決策の組合せを選択することができる。
【００２０】
ワイヤレス移動装置とネットワークとの再関連付けについては、多数の仕方で行うことができる。１つの解決策では、装置で実行されるアプリケーションが実際にネットワークアクセスを必要とするときに装置がネットワークに再関連付けされる。別の解決策では、「おそらく」ネットワークアクセスが必要となるときに、装置がネットワークに再関連付けされる。後者の解決策の一例は、ユーザが、ネットワーク可能なアプリケーション（例えば、メールプログラム）を選択又はアクチベートするか、或いはネットワーク可能なアプリケーションを起動できるところの状態（例えば、「ホームスクリーン」又は「ホームページ」）に入ったときに、再関連付けすることである。前者の解決策は、ネットワークに関連付けるのに使用される時間及び電力を制限することによりネットワークオペレーションに対して消費される電力の量を最小にする傾向がある。当然、その欠点は、ネットワークアクセスを実際に必要とするオペレーションを選択するときにユーザにとって応答が低速なことである。というのは、そのとき、ユーザは、要求が処理されるか又はネットワークへ発行されるまでネットワーク関連付けが行われるのを待機しなければならないからである。後者の解決策は、より多くの電力を消費する傾向がある。というのは、実際に必要でないときにネットワークの取得又は関連付けが求められ又は維持されるからである。当然、その利益は、改良されたユーザ応答性である。
【００２１】
図２の実施形態に関して、ワイヤレス移動装置は、周期的ネットワークアクセスを必要とする複数のバックグランドアプリケーション又はプロセスを有する。この形式の装置では、各バックグランドプロセスは、独自で、装置がネットワークにアクセスする間に分離タイマーを一時的に保留させるようにする（図２Ｂのブロック２３５−２４５を参照）。或いは又、全てのバックグランドプロセスを共通のインターバルに同期させて、装置がネットワークへランダムに循環する（即ち、短時間関連付けられ、次いで、分離される）ことがないようにしてもよい。別の実施形態では、ネットワーク関連付けパターンを監視して、バックグランドプロセスが指定量以上に装置を循環させる場合に、バックグランドプロセスに動作の変化が生じる（即ち、１つ以上のバックグランドプロセスが終了するか、又は指定の期間）まで、装置をネットワークに関連付けた状態に保持することができる。更に別の実施形態では、スレッシュホールド数より多くのバックグランドプロセスがアクティブな場合に、バックグランドプロセスに動作の変化が生じるまで、装置をネットワークに関連付けた状態に保持することができる。
【００２２】
上述した動作方法では、特許請求の範囲から逸脱せずに、材料、コンポーネント、回路素子及び細部に種々の変更が考えられる。例えば、図２及び３に示すチェックの正確な進行は、本発明の範囲から逸脱せずに変更することができる。
【符号の説明】
【００２３】
３００：装置
３０５：ＲＦ送信及び受信回路
３１０：アンテナ
３１５：ディスプレイ
３２０：プロセッサ
３２５：メモリ
３３０：分離タイマー
【図１Ａ】
2011511516.tif 000003
【図１Ｂ】
2011511516.tif 000004
【図２Ａ】
2011511516.tif 000005
【図２Ｂ】
2011511516.tif 000006
【図２Ｃ】
2011511516.tif 000007
【図３】
2011511516.tif 000008
【国際調査報告】
2011511516.tif 000009
2011511516.tif 000010
2011511516.tif 000011
2011511516.tif 000012
2011511516.tif 000013